(57)【要約】【課題】口腔内で頬肉を押し上げる寸法の調節を可能とし、特に、皺伸ばしや口角を上げる効果を調節することができる美顔用マウスピースを提供する。【解決手段】上顎または下顎の歯列に沿って装着するための装着部材１と、上記装着部材１の外側に配置されて内側から頬肉を押し上げる押し上げ部材２と、上記装着部材１と上記押し上げ部材２の間において、上記押し上げ部材２による押し上げ位置の調節を可能とした調節機構３とを備えた。上記調節機構３によって上記押し上げ部材２による押し上げ位置の調節を行うことにより、口腔内で頬肉を押し上げる寸法の調節が可能となる。特に、皺伸ばしや口角を上げる効果を調節することができる。そして、製品寸法が顔に合わないときや皺伸ばしのレベルを変えたいときは調節機構３で調節すればよい。【選択図】図１
2014104330.tif 000002
【特許請求の範囲】
【請求項１】
上顎または下顎の歯列に沿って装着するための装着部材と、
上記装着部材の外側に配置されて内側から頬肉を押し上げる押し上げ部材と、
上記装着部材と上記押し上げ部材の間において、上記押し上げ部材による押し上げ位置の調節を可能とした調節機構とを備えたことを特徴とする美顔用マウスピース。
【請求項２】
上記調節機構は、
上記装着部材に埋設される第１の埋設部材と、
上記押し上げ部材に埋設される第２の埋設部材と、
一端側が上記第１の埋設部材に対してねじ結合するとともに、他端側が上記第２の埋設部材に対して軸回転可能に取り付けられ、上記装着部材と上記押し上げ部材との隙間において軸回転操作を可能とする軸回転操作部を有する連結部材とを備えている請求項１記載の美顔用マウスピース。
【請求項３】
上記調節機構は、
上記押し上げ部材に埋設される第１の埋設部材と、
上記装着部材に埋設される第２の埋設部材と、
一端側が上記第１の埋設部材に対してねじ結合するとともに、他端側が上記第２の埋設部材に対して軸回転可能に取り付けられ、上記装着部材と上記押し上げ部材との隙間において軸回転操作を可能とする軸回転操作部を有する連結部材とを備えている請求項１記載の美顔用マウスピース。
【請求項４】
上記押し上げ部材は、上記調節機構の連結部材が軸回転するのに伴い、内外方向に進退する請求項１〜３のいずれか一項に記載の美顔用マウスピース。
【請求項５】
上記押し上げ部材は、上記調節機構の連結部材が軸回転するのに伴い、上下方向に進退する請求項１〜３のいずれか一項に記載の美顔用マウスピース。
【請求項６】
上記押し上げ部材は、上記調節機構の連結部材が軸回転するのに伴い、斜め上下方向に進退する請求項１〜３のいずれか一項に記載の美顔用マウスピース。
【発明の詳細な説明】
【技術分野】
【０００１】
本発明は、例えば、口元にできた皺をのばしたり口角を上げて笑顔をつくりやすくしたりするための美顔用マウスピースに関するものである。
【背景技術】
【０００２】
男女を問わず中年といわれる年齢に差し掛かってくると、口元に皺ができ始める。そこまで歳がいかなくても、笑皺のように、先天的あるいは後天的な理由によって皺ができることもある。口元に皺があると、どうしても老けて見られてしまう。人によっては必要以上に気にするものである。一般に、いつまでも若く美しくみられたいという思いの強い女性にその傾向が強い。
【０００３】
このような口元の皺をマウスピースで伸ばそうとする技術が検討されている。例えば、下記の特許文献１〜３に示すようなものが開示されている。なお、各文献の説明において括弧内の符号は公報に記載のものである。
【０００４】
特許文献１には、右側頬肉と右側歯列の間に装着される部材（４）、顎肉と前歯列の間に装着される部材（５）、及び左側頬肉と左側歯列の間に装着される部材（６）を有した皺伸ばし用マウスピースが開示されている（図１〜図４）。この皺伸ばし用マウスピースは、上記部材（４）（５）および（６）が連結部材（２）で一体に連結されている。また、部材（４）および部材（６）に各部材を口腔内に固定するための固定部材（１）および（３）が設けられている。また、連結部材（２）の中央部分は部材（５）を貫通し、一方の端が部材（４）に挿入され、他方の端が部材（６）に挿入されている。
【０００５】
特許文献１には、さらに、ＥＶＡ樹脂で形成された豊頬ピース（１）が開示されている（図５〜図１２）。この豊頬ピース（１）は、左右に膨大部（２）を形成し、さらに前方（唇側）に張出して張出し部（５）を形成している。それらを連結する帯状部（４）には小張出し部（６）が形成されている。この豊頬ピース１は、湾曲させ、頬粘膜と歯肉の間及び口唇粘膜と歯肉との間にある口腔前庭に嵌めこんで使用する。そして、張出し部（５）が頬肉を外側へ押出して垂れた頬肉や顎肉を吊り上げ、また、鼻唇溝や口角溝を緩和する。さらに、小張出し部（６）が下唇を外側へ押出してしゃくれた顎を引戻す。
【０００６】
特許文献２に開示された皺伸ばし用マウスピースは、可撓性に優れたシリコンゴムから形成された、歯茎に装着する薄板状のマウスピース（１０、１１）である。このマウスピースは、側端部に歯茎の奥部に形成する少し広めの空間に嵌め込むための肉厚部（１２）が設けられ、歯茎との当接面（１４）に、凹部（１６）によって構成する吸盤状の吸着手段（Ｑ）が形成されたものである。
【０００７】
特許文献３に開示された健康用マウスピースは、口腔内に配置された時に上顎部と下顎部に位置する部分が各馬蹄形状に変型する健康用マウスピースである。
【先行技術文献】
【特許文献】
【０００８】
【特許文献１】特許第４８９７４８９号公報
【特許文献２】実開平５−２６０１１号公報
【特許文献３】実用新案登録第３１６７１９８号公報
【発明の概要】
【発明が解決しようとする課題】
【０００９】
しかしながら、上記従来のマウスピースには、つぎのような問題があった。
【００１０】
特許文献１の図１〜図４に開示された皺伸ばし用マウスピースは、右側頬肉と右側歯列の間に装着される部材（４）、顎肉と前歯列の間に装着される部材（５）、左側頬肉と左側歯列の間に装着される部材（６）によって口元に生じた皺を伸ばすものである。ところが、これらの部材（４）（５）（６）の高さ等の寸法が一定していてその調節ができない。したがって、製品寸法が顔に合わないときは、作り変えるしか方法がなかった。また、使用するうちに皺伸ばしのレベルを変えたいと思っても、部材（４）（５）（６）の寸法が違うものを作り直さなければならなかった。
【００１１】
特許文献１の図５〜図１２に開示された豊頬ピース（１）は、製品寸法が顔に合わないときに、豊頬ピース１を７０〜９０℃の湯にいれて、その湾曲の程度と外縁の大きさに適合するように豊頬ピース１を手ひねりで成形しなければならない（段落００３８）。文献には、いかにも簡単に寸法調節できるように書かれているが、実際やろうとすると極めて困難かつ危険である。すなわち、７０〜９０℃の湯にいれるとピース自体は柔らかくなるが、このような高温に熱せられたピースは熱すぎて口腔内に挿入できない。無理に挿入して形を合わせようとすると、火傷を負ってしまうのである。しかも、寸法調節を塑性変形にたよっているため、変形しすぎたものをもとに戻すような調節が極めて困難である。
【００１２】
特許文献２に開示された皺伸ばし用マウスピースは、吸着手段（Ｑ）によって装着中におけるズレを防止しようとするものである（段落００１３）。しかしながら、肉厚部（１２）等の高さなどの寸法が一定していてその調節ができない。したがって、製品寸法が顔に合わないときは、作り変えるしか方法がなく、使用するうちに皺伸ばしのレベルを変えたいと思っても作り直さなければならない。
【００１３】
特許文献３に開示された健康用マウスピースにおいても、上顎部と下顎部に位置する部分の高さなどの寸法が一定していてその調節ができない。したがって、製品寸法が顔に合わないときは、作り変えるしか方法がなく、使用するうちに皺伸ばしのレベルを変えたいと思っても作り直さなければならない。
【００１４】
本発明は、上記課題を解決するためになされたものであり、口腔内で頬肉を押し上げる寸法の調節を可能とし、特に、皺伸ばしや口角を上げる効果を調節することができる美顔用マウスピースを提供することをその目的とする。
【課題を解決するための手段】
【００１５】
上記の目的を達成するため、本発明の美顔用マウスピースは、上顎または下顎の歯列に沿って装着するための装着部材と、
上記装着部材の外側に配置されて内側から頬肉を押し上げる押し上げ部材と、
上記装着部材と上記押し上げ部材の間において、上記押し上げ部材による押し上げ位置の調節を可能とした調節機構とを備えたことを要旨とする。
【発明の効果】
【００１６】
本発明は、上顎または下顎の歯列に沿って装着するための装着部材と、上記装着部材の外側に配置されて内側から頬肉を押し上げる押し上げ部材とを備えている。そして、上記装着部材と上記押し上げ部材の間において、上記押し上げ部材による押し上げ位置の調節を可能とした調節機構を備えている。
このため、上記調節機構によって上記押し上げ部材による押し上げ位置の調節を行うことにより、口腔内で頬肉を押し上げる寸法の調節が可能となる。特に、皺伸ばしや口角を上げる効果を調節することができる。そして、製品寸法が顔に合わないときや皺伸ばしのレベルを変えたいときは調節機構で調節すればよいので、従来のようにいちいち作り直す必要がなくなる。また、従来品で問題であった高温で火傷を負う危険も皆無となる。
【００１７】
本発明において、上記調節機構は、
上記装着部材に埋設される第１の埋設部材と、
上記押し上げ部材に埋設される第２の埋設部材と、
一端側が上記第１の埋設部材に対してねじ結合するとともに、他端側が上記第２の埋設部材に対して軸回転可能に取り付けられ、上記装着部材と上記押し上げ部材との隙間において軸回転操作を可能とする軸回転操作部を有する連結部材とを備えている場合には、
軸回転操作部への軸回転操作とういう極めて簡単な操作で押し上げ部材による押し上げ位置の調節を行うことができる。また、調節しすぎたものを戻す調節も容易である。調節位置は何度でも繰り返し調節しなおすことができる。
【００１８】
本発明において、上記調節機構は、
上記押し上げ部材に埋設される第１の埋設部材と、
上記装着部材に埋設される第２の埋設部材と、
一端側が上記第１の埋設部材に対してねじ結合するとともに、他端側が上記第２の埋設部材に対して軸回転可能に取り付けられ、上記装着部材と上記押し上げ部材との隙間において軸回転操作を可能とする軸回転操作部を有する連結部材とを備えている場合には、
軸回転操作部への軸回転操作という極めて簡単な操作で押し上げ部材による押し上げ位置の調節を行うことができる。また、調節しすぎたものを戻す調節も容易である。調節位置は何度でも繰り返し調節しなおすことができる。
【００１９】
本発明において、上記押し上げ部材は、上記調節機構の連結部材が軸回転するのに伴い、内外方向に進退する場合には、
押し上げ部材を内外方向に進退させて皺伸ばしや口角を上げる効果を得ることができる。
【００２０】
本発明において、上記押し上げ部材は、上記調節機構の連結部材が軸回転するのに伴い、上下方向に進退する場合には、
押し上げ部材を上下方向に進退させて皺伸ばしや口角を上げる効果を得ることができる。
【００２１】
本発明において、上記押し上げ部材は、上記調節機構の連結部材が軸回転するのに伴い、斜め上下方向に進退する場合には、
押し上げ部材を斜め上下方向に進退させて皺伸ばしや口角を上げる効果を得ることができる。
【図面の簡単な説明】
【００２２】
【図１】本発明の第１実施形態における美顔用マウスピースの構造を示す図である。（Ａ）は断面図、（Ｂ）は平面図、（Ｃ）は側面図である。
【図２】調節機構の第１例の詳細を示す図である。
【図３】調節機構の第２例を示す図である。
【図４】（Ａ）は第２実施形態を示す断面図、（Ｂ）は第３実施形態を示す断面図である。
【発明を実施するための形態】
【００２３】
以下、本発明の美顔用マウスピースの実施形態について詳細に説明する。
【００２４】
図１は、本実施形態の美顔用マウスピースの全体構造を示す図である。（Ａ）は断面図、（Ｂ）は平面図、（Ｃ）は側面図である。
【００２５】
この美顔用マウスピースは、上顎または下顎の歯列に沿って装着するための装着部材１と、上記装着部材１の外側に配置されて内側から頬肉を押し上げる押し上げ部材２とを備えている。
【００２６】
上記装着部材１および押し上げ部材２は、ある程度可撓性を有する材料から構成するのが好ましい。例えば、ＥＶＡ樹脂、エラストマー、その他の樹脂材料、シリコーンゴム、合成ゴム、天然ゴム、その他のゴム材料等を好ましい材料として挙げることができ、医療用の認可を受けているものが好ましい。
【００２７】
上記装着部材１は、平面視で全体として歯列に沿った馬蹄形を呈している。そして、歯列を覆うように歯列に対して装着するために、歯列に沿った溝部７を有している。図示した例は上顎に装着するものである。
【００２８】
この例では、上記装着部材１には、歯列の外側に対応する左右に、それぞれ上向きに延びる翼状片８が一体に形成されている。両方の翼状片８の外側面には、それぞれ押し上げ部材２を取り付けるためのベース部５が突出するように形成されている。
【００２９】
上記押し上げ部材２は、ベース部５の平坦な頂面５Ａと対面する平坦面２Ａを有している。上記平坦面２Ａの反対側は外側に突出する凸面２Ｂに形成されている。この凸面２Ｂが頬肉を内側から押し上げるように働く。
【００３０】
そして、上記装着部材１と上記押し上げ部材２の間において、上記押し上げ部材２による押し上げ位置の調節を可能とした調節機構３を備えている。
【００３１】
図２は、上記調節機構３の第１例の詳細を示す図である。
【００３２】
上記調節機構３は、上記装着部材１に埋設される第１の埋設部材１１と、上記押し上げ部材２に埋設される第２の埋設部材１２と、上記第１の埋設部材１１と上記第２の埋設部材１２を連結する連結部材１０とを備えている。
【００３３】
上記連結部材１０は、第１の埋設部材１１と上記第２の埋設部材１２にそれぞれ取り付けられて、第１の埋設部材１１と上記第２の埋設部材１２の隙間６を調節する働きをする。第１の埋設部材１１と上記第２の埋設部材１２の隙間６を調節することにより、装着部材１におけるベース部５の頂面５Ａと、押し上げ部材２の平坦面２Ａとの隙間６を調節するようになっている。
【００３４】
上記連結部材１０は、一端側が上記第１の埋設部材１１に対してねじ結合するとともに、他端側が上記第２の埋設部材１２に対して軸回転可能に取り付けられる。また、上記連結部材１０は、上記装着部材１と上記押し上げ部材２との隙間６において軸回転操作を可能とする軸回転操作部１３を有している。
【００３５】
上記第１の埋設部材１１、第２の埋設部材１２および連結部材１０は、耐食性および耐久性に優れた金属材料から構成される。好ましい材料としては、ステンレス鋼、チタン合金、金、プラチナ等を挙げることができ、医療用の認可を受けているものが好ましい。
【００３６】
上記第１の埋設部材１１は、装着部材１に埋設された状態でベース部５の平坦な頂面５Ａと略面一になる基盤部２０を備えている。上記基盤部２０の中央に、連結部材１０のねじ部４１とねじ結合する袋ねじ部２２が形成されている。また、上記基盤部２０の袋ねじ部２２の両側には、装着部材１のベース部５への埋設による固定を確実にするための埋設ピン２１が形成されている。
【００３７】
上記第２の埋設部材１２は、押し上げ部材２に埋設された状態で平坦面２Ａと略面一になる基盤部３０を備えている。上記基盤部３０の中央に、連結部材１０の軸止め部４２を軸回転可能に取り付ける軸受け部３２が形成されている。軸止め部４２と軸受け部３２は、連結部材１０を軸回転可能に取り付けるよう連結されるとともに、抜け止め構造が形成されている。抜け止め構造は、例えば、軸止め部４２の先端にフランジを形成し、軸受け部３２の開口縁にかしめ変形等による出っ張りを形成することにより行うことができる。また、上記基盤部３０の軸受け部３２の両側には、押し上げ部材２への埋設による固定を確実にするための埋設ピン３１が形成されている。
【００３８】
上記連結部材１０は、全体として棒状を呈している。一端側には、第１の埋設部材１１の袋ねじ部２２にねじ結合するねじ部４１が形成されている。一端側には、第２の埋設部材１２の軸受け部３２に軸回転可能に取り付けられる軸止め部４２が形成されている。そして、ねじ部４１と軸止め部４２の間には、連結部材１０の軸回転操作を可能とする軸回転操作部１３が形成されている。軸回転操作部１３は、装着部材１におけるベース部５の頂面５Ａと、押し上げ部材２の平坦面２Ａとの隙間６に配置されている。上記軸回転操作部１３は、この例では円柱状で、軸回転させるための工具であるピン（図示していない）を差し込むための複数の工具穴４３がその円周面に形成されている。
【００３９】
このような構造により、上記押し上げ部材２による押し上げ位置の調節は、つぎのようにして行うことができる。
【００４０】
連結部材１０の軸回転操作部１３に形成された工具穴４３に工具であるピンを差し込む。その状態で、ピンを回動させて連結部材１０を軸回転させる。この軸回転により、袋ねじ部２２にねじ結合されたねじ部４１が軸方向に進退する。そして、連結部材１０が第１の埋設部材１１に対して進退し、第２の埋設部材１２が第１の埋設部材１１に対して進退して移動する。これにより、装着部材１のベース部５に対して押し上げ部２が進退することとなり、装着部材１におけるベース部５の平坦な頂面５Ａと押し上げ部２の平坦面２Ａの隙間６が広がったり狭くなったりする。
【００４１】
このような操作ならびに動作によって、上記押し上げ部材２は、上記調節機構３の連結部材１０が軸回転するのに伴い、内外方向に進退するのである。これにより、上記押し上げ部材２による押し上げ位置の調節が行われる。
【００４２】
以上のように、本実施形態の美顔用マウスピースは、上顎または下顎の歯列に沿って装着するための装着部材１と、上記装着部材１の外側に配置されて内側から頬肉を押し上げる押し上げ部材２とを備えている。そして、上記装着部材１と上記押し上げ部材２の間において、上記押し上げ部材２による押し上げ位置の調節を可能とした調節機構３を備えている。
このため、上記調節機構３によって上記押し上げ部材２による押し上げ位置の調節を行うことにより、口腔内で頬肉を押し上げる寸法の調節が可能となる。特に、皺伸ばしや口角を上げる効果を調節することができる。そして、製品寸法が顔に合わないときや皺伸ばしのレベルを変えたいときは調節機構３で調節すればよいので、従来のようにいちいち作り直す必要がなくなる。また、従来品で問題であった高温で火傷を負う危険も皆無となる。
【００４３】
また、上記調節機構３は、
上記装着部材１に埋設される第１の埋設部材１１と、
上記押し上げ部材２に埋設される第２の埋設部材１２と、
一端側が上記第１の埋設部材１１に対してねじ結合するとともに、他端側が上記第２の埋設部材１２に対して軸回転可能に取り付けられ、上記装着部材１と上記押し上げ部材２との隙間６において軸回転操作を可能とする軸回転操作部１３を有する連結部材１０とを備えている。
このため、軸回転操作部１３への軸回転操作とういう極めて簡単な操作で押し上げ部材２による押し上げ位置の調節を行うことができる。また、調節しすぎたものを戻す調節も容易である。調節位置は何度でも繰り返し調節しなおすことができる。
【００４４】
また、上記押し上げ部材２は、上記調節機構３の連結部材１０が軸回転するのに伴い、内外方向に進退する。
このため、押し上げ部材２を内外方向に進退させて皺伸ばしや口角を上げる効果を得ることができる。
【００４５】
図３は、上記調節機構３の第２例を示す図である。
【００４６】
上記調節機構３は、
上記押し上げ部材２に埋設される第１の埋設部材１１と、
上記装着部材１に埋設される第２の埋設部材１２と、
一端側が上記第１の埋設部材１１に対してねじ結合するとともに、他端側が上記第２の埋設部材１２に対して軸回転可能に取り付けられ、上記装着部材１と上記押し上げ部材２との隙間において軸回転操作を可能とする軸回転操作部１３を有する連結部材１０とを備えている。
【００４７】
言い換えると、第１の埋設部材１１と第２の埋設部材１２が埋設される相手が、図２とは逆になったものである。それ以外は図２に示すものと同様であり、同様の部分には同じ符号を付している。
【００４８】
本実施形態では、上記調節機構３は、
上記押し上げ部材２に埋設される第１の埋設部材１１と、
上記装着部材１に埋設される第２の埋設部材１２と、
一端側が上記第１の埋設部材１１に対してねじ結合するとともに、他端側が上記第２の埋設部材１２に対して軸回転可能に取り付けられ、上記装着部材１と上記押し上げ部材２との隙間において軸回転操作を可能とする軸回転操作部１３を有する連結部材１３とを備えている。
このため、軸回転操作部１３への軸回転操作という極めて簡単な操作で押し上げ部材２による押し上げ位置の調節を行うことができる。また、調節しすぎたものを戻す調節も容易である。調節位置は何度でも繰り返し調節しなおすことができる。
【００４９】
図４（Ａ）は第２実施形態を示す断面図である。
【００５０】
この例は、上記押し上げ部材２は、上記調節機構３の連結部材１０が軸回転するのに伴い、上下方向に進退する。
【００５１】
この例では、ベース部５の頂面５Ａが上向きに形成されている。その頂面５Ａに平坦面２Ａが対面するように押し上げ部材２ならびに調節機構３が配置されている。
【００５２】
本実施形態では、上記押し上げ部材２は、上記調節機構３の連結部材１０が軸回転するのに伴い、上下方向に進退する。
このため、押し上げ部材２を上下方向に進退させて皺伸ばしや口角を上げる効果を得ることができる。
【００５３】
それ以外は、図１〜３に示した実施形態と同様であり、同様の作用効果を奏する。図１〜３に示した実施形態と同様の部分には同じ符号を付している。
【００５４】
図４（Ｂ）は第３実施形態を示す断面図である。
【００５５】
この例は、上記押し上げ部材２は、上記調節機構３の連結部材１０が軸回転するのに伴い、斜め上下方向に進退する。
【００５６】
この例では、ベース部５の頂面５Ａが斜め上向きに形成されている。その頂面５Ａに平坦面２Ａが対面するように押し上げ部材２ならびに調節機構３が配置されている。
【００５７】
本実施形態では、上記押し上げ部材２は、上記調節機構３の連結部材１０が軸回転するのに伴い、斜め上下方向に進退する。
このため、押し上げ部材２を斜め上下方向に進退させて皺伸ばしや口角を上げる効果を得ることができる。
【００５８】
それ以外は、図１〜３に示した実施形態と同様であり、同様の作用効果を奏する。図１〜３に示した実施形態と同様の部分には同じ符号を付している。
【００５９】
上述した各実施形態では、装着部材１は、歯列に合った溝部７を形成するようにしたが、これに限定するものではない。装着部材１は、歯列の外側に沿う馬蹄形の部材に、その部材を歯列に固定するためのワイヤー部材を取り付けたものでもよい。すなわち、装着部材１は、歯列に沿って着脱可能に取り付けられる形態のものであれば各種の構造・態様のものを含む趣旨である。
【００６０】
上述した各実施形態では、上顎に装着するものとした例を示したが、下顎に装着するものとすることもできる。
【００６１】
以上は本発明の特に好ましい実施形態について説明したが、本発明は図示の実施形態に限定する趣旨ではなく、各種の態様に変形して実施することができ、本発明は各種の変形例を包含する趣旨である。
【符号の説明】
【００６２】
１：装着部材
２：押し上げ部材
２Ａ：平坦面
２Ｂ：凸面
３：調節機構
５：ベース部
５Ａ：頂面
６：隙間
７：溝部
８：翼状片
１０：連結部材
１１：第１の埋設部材
１２：第２の埋設部材
１３：軸回転操作部
２０：基盤部
２１：埋設ピン
２２：袋ねじ部
３０：基盤部
３１：埋設ピン
３２：軸受け部
４１：ねじ部
４２：軸止め部
４３：工具穴
【図１】
2014104330.tif 000003
【図２】
2014104330.tif 000004
【図３】
2014104330.tif 000005
【図４】
2014104330.tif 000006